(57)【要約】【課題】カードを回収しなくても、使用者が使用している中でデータの更新が行え、また更新のタイミングや方法も指定できる画像形成システム用課金装置を提供する。【解決手段】複写機１に接続されて画像形成動作を行わせ、画像形成出力に対する対価の管理を行う少なくとも一つの課金装置２及び課金装置２を管理する課金管理装置１０からなる。課金装置２は、カード等が挿入されたときに画像形成動作を可能にする信号を出力し、画像形成枚数やサイズデータ、出力モードを記憶し、画像枚数を加、減算し、減算時は現在の残度数を画像形成装置に出力し、残度数がない場合は画像形成動作を禁止し、複写機１からの給紙または排紙カウント信号により、課金の制御を行い、課金管理装置１０は、課金装置２にカード等が挿入された際、カード等の残度数の過不足のチェックを行う前にカードに対して残度数の追加更新を行う。【選択図】図１２
2009260808.tif 000002
【特許請求の範囲】
【請求項１】
画像形成装置と、
該画像形成装置に接続され、該画像形成装置に対して画像形成動作を行わせ、および／または、画像形成出力に対する対価の管理を行う課金装置とからなる画像形成システム用課金装置において、
前記画像形成装置には、
画像形成の開始を前記課金装置に伝える給紙カウント信号と、画像形成の終了を前記課金装置に伝える排紙カウント信号及び形成する画像のサイズデータ、形成した画像の出力モードを前記課金装置に伝達する伝達手段と、
前記課金装置より画像形成動作を可能にする信号を受けているときのみ画像形成動作を許可する画像形成動作許可手段と、
画像形成動作中は前記課金装置に動作中であることを知らせる信号を出力する動作中信号出力手段とを備え、
前記画像形成装置用課金装置には、
カードや身分証明書、現金などを前記課金装置に挿入されたときに前記画像形成装置の画像形成動作を可能にする信号を出力する動作可能信号出力手段と、
前記画像形成装置からの画像形成枚数やサイズデータ、出力モードを記憶する記憶手段と、
画像枚数を加算、または上限枚数から減算し、減算しているときは現在の残度数を画像形成装置に出力する料金信号出力手段と、
残度数がない場合は画像形成動作を禁止する禁止手段と、
残度数を表示する表示手段と、
画像形成動作終了後にカードや身分証明書を返却する返却手段とを備え、
前記給紙カウント信号または前記排紙カウント信号により、課金の制御を行い、
前記課金装置に該カードが挿入された際、該カードの残度数の過不足のチェックを行う前に前記カードに対して残度数の追加更新を行うことを特徴とする画像形成システム用課金装置。
【請求項２】
請求項１の画像形成システム用課金装置において、前記カードの残度数の更新をＩＤ毎に指定できることを特徴とする画像形成システム用課金装置。
【請求項３】
請求項１または２の画像形成システム用課金装置において、前記カードの残度数の更新を加算により行うか、上書きにより行うかを選択可能としてなること特徴とする画像形成システム用課金装置。
【請求項４】
請求項１ないし３のいずれかの画像形成システム用課金装置において、前記カードの残度数の更新の時期を指定可能としてなること特徴とする画像形成システム用課金装置。
【請求項５】
請求項１ないし４のいずれかの画像形成システム用課金装置において、残度数の更新処理の終わったカードと終わっていないカードを判別可能としてなること特徴とする画像形成システム用課金装置。
【請求項６】
請求項５の画像形成システム用課金装置において、残度数更新処理の終わっているカードに対しては、再更新を行なわないことを可能としてなること特徴とする画像形成システム用課金装置。
【請求項７】
請求項１ないし４のいずれかの画像形成システム用課金装置において、前記カードの残度数の更新結果を履歴として残すことを可能としてなること特徴とする画像形成システム用課金装置。
【発明の詳細な説明】
【技術分野】
【０００１】
本発明は、画像形成システム用課金装置に関し、特に複写機、印刷機やファクシミリ等の画像形成装置において画像形成を行った際の課金処理を行うものに関する。
【背景技術】
【０００２】
画像形成装置に接続される、課金装置は以下の２つに大別される。すなわち、
（１）不特定多数の使用者（例えばコンビニエンスストアなど）に対して、コピーやプリントや画像形成，その他の成果物に対して課金を行うもの、
（２）一般オフィス内で使用され、使用実績を把握し分析を行なったり、各部署に経費を振替えるもの
である。
【０００３】
（１）の課金装置の場合、一般的には使用者からコインベンダーを用いて現金を徴収したり、予め販売していあるプリペイドカードから度数（金額）を減算する。一方、（２）の課金装置の場合、使用者が誰であるか（どこの部署に所属しているか等）を示すコード（いわゆるＩＤコード）を入力したり、またはそのＩＤコードが記録された媒体（ＩＣカード、磁気カードなど）を課金装置にセットして画像の出力を行ったりする。例えばカードにて運用する場合、使用者は課金装置にＩＤが記録されたカードを課金装置にセットして画像形成装置を使用し、課金装置はどのように使用されたかをログファイル（履歴ファイル）に残す。管理者は月末などにこのデータを収集・集計し、社内の各部署に対して経費の振り替えを行う。
【０００４】
【特許文献１】特許３６６５８２８号公報
【特許文献２】特開２００７−０５８６０２号公報
【特許文献３】特開２００８−５９４９９号公報
【発明の開示】
【発明が解決しようとする課題】
【０００５】
しかしながら、通常の法人であれば、各個人、各部署には予算があり、例えばコピーの経費もその予算の範囲内に収めるようにするのが望ましいとされており、そのような場合、各個人、各部署が自分たちで使用した実績を把握し、その実績が予算を超えないようにしながら使用する方法も考えられるが、その場合予算額を意識し、また各作業の単価も把握し、算出しなければならない。
【０００６】
これを解決するための簡単な方法として、予め度数を設定しておき、各作業に対して重み付けを実施し（減算度数）、その減算度数を引き落としていくという手法があり、この方法を用いると、あとどのくらいの度数が使用できるかが使用者にとって明確になるという利点がある。
【０００７】
この残度数の記録は、
（ａ）課金装置もしくは画像形成装置で保持する
（ｂ）カードに残度数を保持する
という形態が考えられる。
【０００８】
まず（ａ）の場合、機器自身で残度数を保持しているため、ある機器で残度数がなくなったとしても、他の機器では使用できてしまう。すなわち、一部署に予算が割り当てられ、その部署専用の機器である場合はこの方法でも解決できるが、複数の機器を複数の部署でシェアしている場合には有効ではなく、そのため機器間で情報の更新をする方法（各機器間のデータの収集、整合し、その結果を各機器に登録する）があるが、この更新作業にある程度の時間が必要になり、残度数がリアルタイムには把握できず、また予算内に収めることを完全に守らせることができない。また、この精度を良くするには前記更新処理の間隔を短くしなければならず、ネットワークに多大な負荷をかけてしまう。
【０００９】
一方、（ｂ）の場合、カードに残度数を保持しているため、ある機器で残度数が無くなった場合、他の機器でも使用できなくなり、また、カードに残度数データが入っているためその時点での残度数が使用時に確認できるという利点がある。しかしながら、例えば期が変わり新たな予算が執行されている状態になった場合を考えると、管理者が予算分の度数が入っているカードを新たに発行するか、現在使用しているカードの一旦回収し、データの更新を行なわなければならなくなるため、カードの発行数が多いときは非常に手間とコストが掛かることになる。
【００１０】
そこで本発明は、カードを回収しなくても、使用者が使用している中でデータの更新が行え、また更新のタイミングや方法も指定できる画像形成システム用課金装置を提供することを目的とする。
【課題を解決するための手段】
【００１１】
本発明の画像形成システム用課金装置のうち請求項１に係るものは、
画像形成装置と、
該画像形成装置に接続され、該画像形成装置に対して画像形成動作を行わせ、および／または、画像形成出力に対する対価の管理を行う課金装置とからなる画像形成システム用課金装置において、
前記画像形成装置には、
画像形成の開始を前記課金装置に伝える給紙カウント信号と、画像形成の終了を前記課金装置に伝える排紙カウント信号及び形成する画像のサイズデータ、形成した画像の出力モードを前記課金装置に伝達する伝達手段と、
前記課金装置より画像形成動作を可能にする信号を受けているときのみ画像形成動作を許可する画像形成動作許可手段と、
画像形成動作中は前記課金装置に動作中であることを知らせる信号を出力する動作中信号出力手段とを備え、
前記画像形成装置用課金装置には、
カードや身分証明書、現金などを前記課金装置に挿入されたときに前記画像形成装置の画像形成動作を可能にする信号を出力する動作可能信号出力手段と、
前記画像形成装置からの画像形成枚数やサイズデータ、出力モードを記憶する記憶手段と、
画像枚数を加算、または上限枚数から減算し、減算しているときは現在の残度数を画像形成装置に出力する料金信号出力手段と、
残度数がない場合は画像形成動作を禁止する禁止手段と、
残度数を表示する表示手段と、
画像形成動作終了後にカードや身分証明書を返却する返却手段とを備え、
前記給紙カウント信号または前記排紙カウント信号により、課金の制御を行い、
前記課金装置に該カードが挿入された際、該カードの残度数の過不足のチェックを行う前に前記カードに対して残度数の追加更新を行うことを特徴とする。
【００１２】
請求項２に係るものは、請求項１の画像形成システム用課金装置において、前記カードの残度数の更新をＩＤ毎に指定できることを特徴とする。
【００１３】
請求項３に係るものは、請求項１または２の画像形成システム用課金装置において、前記カードの残度数の更新を加算により行うか、上書きにより行うかを選択可能としてなること特徴とする。
【００１４】
請求項４に係るものは、請求項１ないし３のいずれかの画像形成システム用課金装置において、前記カードの残度数の更新の時期を指定可能としてなること特徴とする。
【００１５】
請求項５に係るものは、請求項１ないし４のいずれかの画像形成システム用課金装置において、残度数の更新処理の終わったカードと終わっていないカードを判別可能としてなること特徴とする。
【００１６】
請求項６に係るものは、請求項５の画像形成システム用課金装置において、残度数更新処理の終わっているカードに対しては、再更新を行なわないことを可能としてなること特徴とする。
【００１７】
請求項７に係るものは、請求項１ないし４のいずれかの画像形成システム用課金装置において、前記カードの残度数の更新結果を履歴として残すことを可能としてなること特徴とする。
【発明の効果】
【００１８】
本発明によれば、課金装置にて残度数の更新処理を行え、その設定を遠隔から課金管理装置から行え、課金装置は、ユーザーが使用目的の為に管理装置にカードを挿入した際に残度数の過不足のチェックを行なう前に残度数の更新処理を行うので残度数の更新の際カードの回収などの負担がなく、また残度数更新用の専用の装置を用意しなくてもカード残度数の更新を行うことができる。
【発明を実施するための最良の形態】
【００１９】
以下本発明を実施するための最良の形態を、説明する。
【００２０】
本発明は、複写機、印刷機やファクシミリ等の画像形成装置において画像形成を行った際の課金処理を行う課金システムに関し、画像形成装置、課金装置及び課金管理装置の組み合わせによる構成、または画像形成装置、パーソナルコンピュータ、課金装置及び課金管理装置の組み合わせによる構成等で使用可能である。もちろん、その他の装置要素を組み合わせることも可能である。例えば、画像形成装置、パーソナルコンピュータ及びプリンタの構成でも構わない。課金装置は、カードから減算するプリペイドタイプ、現金を用いるタイプ、カードからＩＤのみを読み取り、使用実績ログを蓄積する課金・管理装置を用い得る。なお以下では画像形成装置として複写機を、課金管理用にＩＣカードを用いて説明するが、複写機における画像形成手順、ＩＣカードへのアクセス方法、暗号手順等の詳細な説明は省略する。また給紙カウント数−排紙カウント数をｎと表現する。
【００２１】
課金装置は以下の構成を取り得る。
すなわち課金装置としてのメインスイッチを備え、電源のＯＦＦ／ＯＮを行える。複写機等の画像形成装置とのＩ／Ｆは、後述する画像形成装置との信号のやり取りを行う。またＬＡＮ  Ｉ／Ｆを備え、課金管理装置を用いて課金装置の設定を変更したり、ログの収集，使用禁止カードの登録などを行う。プリント課金端末は、プリント課金も実施する際に、印刷物の入ったメディアの読込み／印刷文書の選択／印刷物の課金等を行うプリント課金端末と接続する。さらに返却ボタン（カードを返却する際に押すボタン）を備え、画像形成装置からの動作信号がＯＦＦになったらカードの返却を行い、返却時に残金、残度数の更新を行う。
【００２２】
この装置では、切り替えボタンでカードを挿入した時に表示する項目を、残度数，挿入から使用した度数の切り替えを行い、設定装置接続口は、接続された設定装置により、管理者はカード読み取り情報や、単価などの情報を設定する。設定用プログラムがインストールされたパーソナルコンピュータを接続する方法でもよい。設定した単価は制御部にあるメモリー部に格納する。
【００２３】
また、カードリーダー／ライターを用い、投入されたカードの情報を読み取ったり、販売後の残金，残度数の更新を行う。制御部では、投入されたカードが本物かどうかを判定したり、残金・残度数の過不足の判定を行ったりする。表示部では、残度数またはＩＤ番号の表示を行う。メモリー部には、上述のように単価を記憶したり、カード読み取り情報、ログなどを記憶する。
【００２４】
また電源スイッチ、販売切替えスイッチを備える。これらのスイッチは、鍵を掛け得る扉内に設置し、鍵は例えば機器管理者が所有して管理するものとする。販売切替えスイッチは、コピー機と課金装置からなる構成か、コピー機、課金装置及びプリント課金端末からなる構成かを設定することができる。
【００２５】
プリペイド残高が記載されているカード（本実施例では上述のようにＩＣカードとする）には情報として、カードＩＤ、ＩＤ番号、カード発行回数、使用度数、取引前度数、取引後度数、その他が書き込まれているものとする。
【００２６】
カードＩＤは、そのカード固有のもので、課金装置は登録されたコードとカードＩＤが一致した場合のみ、そのカードを本物として扱う。ＩＤ番号は、本人を特定するための番号であり、社員番号や学籍番号、部署を示すコードなどを用い得る。カード発行回数は、カードを紛失した際に何回目の発行かを示す回数情報、使用度数は、前回の取引で使用した度数、取引前度数は、前回の取引開始前（カードリーダーへのカード挿入時）の度数、取引後度数は、前回の取引終了時（カードリーダーからのカード排出時）の度数である。
【００２７】
その他の情報としては、カード発効日や回数、その他の区分などを挙げ得るが、詳細な説明は省略する。また残度数を更新した履歴を示す管理番号、残度数を最終更新した日付である残度数更新日、どの機器にて残度数更新処理を行ったかを示す更新機器ＩＤ等がある。カードＩＤ、ＩＤ番号、その他の情報はカード発行時に予め管理者により記載されており、変更は管理者にしか行えないものとする。
【００２８】
課金管理装置としては、課金装置を管理するためのアプリケーションソフトがインストールされたパーソナルコンピュータを用い得る。すると、例えばネットワークを介して複数台の課金装置に対して各種設定を行ったり、ログの一括収集が行えるようになる。
【００２９】
複写機及び課金装置はお互いに信号のやり取りを行える手段を有するものとする。そのような信号には以下のものを挙げ得る。
まず複写機から課金装置への信号としては、複写機の転写紙のサイズを表す信号であるサイズ信号、フルカラーか白黒か，片面か両面か，紙種は何かなどの複写条件を表す信号であるモード信号、複写機が動作中であるか否かを表す信号である動作信号、画像形成の為の転写紙スタート時に出力される信号である給紙信号、画像形成終了後に複写機から転写紙が排出される時に出力される信号である排紙信号がある。
【００３０】
一方、課金装置から複写機への信号としては、課金装置により残金や現在の状況を判断し、画像形成動作を許可するか否かを複写機に伝える信号である許可信号がある。
【００３１】
課金装置のコピー時の動作を説明する。
（１）まずカードが課金装置に挿入されると、課金装置はカードＩＤ（Ａｄｍｉｎ  ＩＤ）やデータフォーマットなどからカードが本物（本課金装置で使用可能か否か）を判別し、使用不可のカードの場合はその旨の警告を行う。
（２）課金装置に残度数更新データが登録されている場合、課金装置の内部時計と更新データで指定されている更新日を比較し、更新日以降の日時であることが確認できた場合、カードＩＤの登録があるかを確認する。ＩＤがあった場合はカードの管理番号、残度数、更新日、更新機器ＩＤをカードに書込み、かつ課金装置内にログとしてデータを残す。
（３）使用可能カードの場合は、ＩＤ番号と残金、残度数を読み取り、表示部に残度数を表示しカードをロックする。残金がない，または不足している場合には警告を表示し、カードを返却する
（４）複写機から入力されるモード信号、サイズ信号等から自身に登録されている単価を参照し、残度数と比較を行う。残度数が単価以上ある場合は、複写機に対して許可信号をＯＮさせる。不足であった場合は、許可信号をＯＮさせない。
（５）複写機から給紙信号、排紙信号が入力された場合、減算処理を行う。給紙信号については、給紙信号が入力された時のモード信号、サイズ信号から単価を判断し、カード残度数から仮想的に減算を行う。そして、仮想減算した結果、残度数が不足した場合は、許可信号をＯＦＦし、不足していない場合は許可信号ＯＮを継続する。排紙信号については、排紙信号が入力された場合、残度数から単価を減算処理する。
（６）画像形成動作中に課金装置の返却ボタンが押下された場合は、許可信号をＯＦＦとし、動作信号がＯＦＦになった時にカード返却処理を開始する。
（７）カード返却処理ではカード内の残度数を更新し、カードロックを解除し、課金装置の表示をＯＦＦさせる。
【００３２】
次に課金装置の設定について説明する。
例えば、コピーを３枚とったところで残度数がなくなったとする。この場合、転写紙の給紙を行い、画像形成後排紙されてから、次の転写紙の給紙を行う方法があるが、これでは単位時間あたりのコピー出力枚数が非常に少なくなってしまう。
【００３３】
そこで給紙信号が無いまま排紙信号を入力する方法が考えられるが、コピー機の装置構成によっては、給紙口から排紙口までの経路が長い場合は動作信号が無いまま給紙信号、排紙信号が入力されるというタイミングになってしまう時がある。その場合、複写機内に最大２枚の転写紙が存在し得るが、動作信号が無いまま給紙信号、排紙信号が入力されると転写紙が最大３枚複写機内に存在することになる。このように、コピー機の画像形成スピードや機械の構成により画像形成処理中に機内に同時に存在する枚数は異なってしまう。この枚数を多めにしてエラー処理を行ってしまうと、不正操作をされた時やコピー機とのＩ／Ｆケーブルの一部断線が発生すると、ただで取れてしまうコピーの枚数が多くなり、不正操作やコピー機の故障を検知するまでの時間が長くなってしまう。そこでこの枚数をコピー機の性能にあわせて任意に設定をすることにより、様々なコピー機に対応することができるようにすることが望まれる。
【００３４】
カードの発行装置について説明する。
特許文献２では、カードの発行装置においてユーザー毎に異なったカードＩＤを発行する方法について述べている。この方法を用いると、管理者の目にカードＩＤ（Ａｄｍｉｎ  ＩＤ）が触れることなく、運用を行うことができる。このＡｄｍｉｎ  ＩＤは課金装置にも登録しなければ課金装置にて照合を行うことができない。そこで、機器への登録自身にもこのカード発行ツール用のＡｄｍｉｎカードを用いて登録することにより、ユーザーやユーザー管理者，機器を設置するカスタマーエンジニアの目にＡｄｍｉｎ  ＩＤが触れることがないので、カード発行と同等のセキュリティーが実現でき、不正利用を抑止することができる。Ａｄｍｉｎ  ＩＤを登録する場合は、カスタマーエンジニアが課金装置の裏扉内（鍵のかかった部分）にあるＤＩＰスイッチを切り替えて電源を投入することにより、Ａｄｍｉｎ  ＩＤ登録モードにする。
【００３５】
この状態の時に、カード発行装置に同梱されている管理者用カードを課金装置に挿入する。課金装置は管理者用カードであることを認識したら、このカード内のＡｄｍｉｎ  ＩＤを読込みこのＩＤをメモリー部に登録する。登録後、カスタマーエンジニアはＤＩＰスイッチを元に戻し、電源を再投入する
【００３６】
次に複写機の動作について説明する。
プリペイドカードシステムを複写機に適用した場合、当該システムは、所定の場所に設置されて共用される複写機に、該複写機とは別体で構成されたプリペイドカウンターを信号線で接続して構成する。ここに、プリペイドカウンターは、例えばその前面パネルにプリペイドカードの差込口と表示部を備え、また、信号処理部に対してカードデータ読取部、カードデータ書込部、システムメモリ等が接続されている。但し、信号処理部には、複写機に備えたられたＣＰＵ等で構成された信号処理部のＩ／Ｏポートに対して信号線を介して接続されるＩ／Ｏポートが別途接続されているものとする。
【００３７】
プリペイドカードシステムを複写機に適用した場合、予納残金が存在する所定のプリペイドカードをプリペイドカウンターの差込口に差し込めば、プリペイドカウンターから複写機に対してその使用を可能とする制御信号が送信され、複写機を適正に使用することが可能となる。また、複写機を使用した場合には、その使用の都度、複写機からは複写に使用された用紙サイズに応じた特定のパルス信号が出力され、プリペイドカウンターの信号処理部はそれに基づいて課金データを作成し、プリペイドカードの予納残金額を減算していく。
【００３８】
なお、プリペイドカードを持たず予納を行っていない場合、またはプリペイドカードの予納残金額が０になった場合には、複写機を使用可能とする制御信号が送信されず、または複写機を使用不能とする制御信号が送信されて、複写機の使用ができない。従って、プリペイドカードを用いて予納を行った者のみが複写機をその予納範囲内で適正に使用でき、また複数人で共用される複写機の費用を使用者に公平に負担させることができる。
【００３９】
ここで、上述した給紙信号とは、画像形成のために転写紙をスタートさせるタイミングで課金装置に送る信号で、１枚の転写紙のスタートにつき１回送る信号である。また排紙信号は、画像形成処理の終わるタイミング（電子写真方式の場合では、転写紙が定着を抜けるタイミングが望ましい）で送出する信号である。
【００４０】
プリント課金端末との接続については、特許文献３等で公知の接続形態を採用すればよい。すなわち、複写動作による画像形成と印刷指示による画像形成の両方の課金を行う場合の複写機と自動販売機との接続構成は、複写動作による課金と印刷指示による課金の両方の仕組みを取り入れ、さらに、プリント課金サーバにおいて、自動販売機で行っていた課金に係る処理の指示を行うようにしたもの等を採用できる。
【００４１】
次にカードの度数更新方法について説明する。
カードの度数更新は、課金管理装置において以下の設定を行う。
（１）管理番号：本作業の番号：課金管理装置自身が通し番号で採番する
（２）ＩＤ番号：どのＩＤに対して処理を行うかを指定する
（３）更新度数：更新させる度数を指定する
（４）上書き／加算：カードの度数に対して更新度数を上書きするか、加算するかを指定する。例えば、
カードの残度数：１０００
更新度数：９０００
上書き：カードのデータを１０００→９０００に更新する
加算：カードのデータ１０００に対して＋９０００、すなわち１００００とする。
（５）更新日：課金装置に対して本作業の実行日を指定する。
そして、データの入力が終わった後、各課金装置に対して設定データを送信する。
【００４２】
課金装置側の処理について説明する。
課金管理装置から上記データを受け取ると、そのデータを機器内に保持する。更新日以降にカードが挿入された場合に、保持したデータとカードＩＤを比較し、該当するデータがある場合はそのカードの残度数の更新を行う。また、管理番号が既に聞きに登録された管理番号よりも大きい場合は更新は行なわない。更新を行う際にカードに対して残度数の書換えと管理番号と更新日を書き込み、また更新したログを機器に残す。
【００４３】
カード更新結果の確認については、課金管理装置は各課金装置から更新結果（ログ）を取得し、現在の更新状況を随時確認することができる。
【実施例１】
【００４４】
以下、図面を参照して本発明の実施例を詳細に説明する。
図１は本発明の実施例である画像形成システム用課金装置の概略構成を示した図で、コピー機と接続した際の構成図を示してある。この図１に示す画像形成システム用課金装置は、画像形成装置である複写機１と、複写機１の画像形成出力に対する課金処理などを行う課金装置２と、印刷物が記録されているメディアの読み込み、印刷文書の選択、印刷物の課金等を行うプリント課金端末（プリント課金サーバ）３とが接続ケーブル４により接続して構成されている。
【００４５】
図２は本実施例の画像形成システム用課金装置における課金装置の外観を示した図であり、（ａ）は外観斜視図、（ｂ）は背面図である。また図３は本実施例の課金装置の内部構成を示したブロック図である。
【００４６】
図２に示すように、課金装置２の前面には、ＩＣカードを挿入するカード挿入口１１、残度数やＩＤ番号等の表示を行う表示部１２、入力部１３を構成する切り換えボタン１３ａやカード返却ボタン１３ｂを備えている。切り換えボタン１３ａは、カードをカード挿入口１１に挿入したときに表示する項目を切り換えるボタンであり、例えば表示部１２に残度数を表示するか、あるいはＩＣカードを挿入してから使用した度数を表示するかを切り換えることができる。カード返却ボタン１３ｂは、カード挿入口１１からカードを返却する際に使用するボタンであり、複写機１からの動作信号がＯＦＦになったらカードの返却を行う。
【００４７】
また課金装置２の側面には、設定装置１４を接続する接続口１５、後面には電源ケーブル１６及び複写機１と接続される接続ケーブル４等を備えている。この課金装置２には、例えば図２（ｂ）に示すように装置の背面側に鍵２ｂを有する開閉可能な扉２ａが設けられており、この扉２ａ内の空間２ｃに電源スイッチ１７ａや選択スイッチ１３ｃ、図示しないＤＩＰスイッチなど配されている。電源スイッチ１７ａは、電源部１７のオン／オフを行うスイッチ、選択スイッチ１３ｃは、当該画像形成システム用課金装置の課金形態を選択するスイッチであり、その詳細については後述する。また課金装置２のカード挿入口１１に挿入されるＩＣカードについても後述する。
【００４８】
また課金装置２には、図３に示すように制御部１８が設けられている。  制御部１８は、課金装置２全体を制御する。またカード挿入口１１に挿入されたカードが本物かどうかを判定したり、カードの残金・残度数の過不足の判定を行ったりする。さらに複写機１において何らかのエラーが発生しているか否かの判定等を行う。また制御部１８には、課金処理を行うための課金機能ブロックが設けられている。なお課金機能ブロックについては後述する。メモリー部１９は、電源部１７がオフされた場合でもデータを保持することができる不揮発性のメモリーであり、各種情報を記憶する。Ｉ／Ｆ部２０は、ＭＦＰＩ／Ｆ、課金端末Ｉ／Ｆ、ＬＡＮＩ／Ｆ等を備えている。ＭＦＰＩ／Ｆは、複写機１との間で後述するような信号のやり取りを行うパラレルＩ／Ｆ、課金端末Ｉ／Ｆは、プリント課金端末３との間で信号のやり取りを行うシリアルＩ／Ｆである。ＬＡＮＩ／Ｆは、ＬＡＮ２１を介して遠隔から課金装置２の設定を変更やログの収集、使用禁止カードの登録などを行うＩ／Ｆである。
【００４９】
設定装置１４は、管理者がカード読み取り情報や単価などの情報を設定するための装置である。また、本実施例の課金装置２では、この設定装置１４を利用して複写機１のエラー判別を行う際に基準となる上限値Ｎの設定等も行われる。上限値Ｎは、複写機１の給紙枚数と排紙枚数との差分枚数、つまり、複写機１内に残存する用紙枚数の上限値であり、複写機１の機種などにより決定されるものである。設定装置１４で設定した上限値Ｎや単価等の情報は、メモリー部１９に格納される。なお、設定装置１４の代わりに設定用プログラムがインストールされたパーソナルコンピュータをつなげて設定を行う方法でもよい。また設定装置１４の接続はＬＡＮＩ／Ｆと兼用してもよい。カードリードライト部２２は、カード挿入口１１に挿入されたカードの情報を読み取ったり、販売後の残金、残度数の更新等を行ったりする。カードの残金、残度数の更新は、カード返却時に行われる。
【００５０】
図４は、制御部に設けられている課金機能ブロックの構成を示した図である。具体的には、図４は、複写機との信号のタイミングチャートで、３枚目で残度数なしとなった例を示している。
図４（ａ）に示すように、制御部１８には課金機能ブロックとして、利用不可テーブル３１、料金テーブル３２、カードホールド制御部３３、コピー課金制御部３４、信号変換部（転送手段）３５を備えている。利用不可テーブル３１には、例えば利用できないカードに関する情報が記憶されている。料金テーブル３２には、例えば料金に関する各種情報が記憶されている。カードホールド制御部３３は、例えばカード挿入口１１に挿入されたカードをロックする制御等を行う。コピー課金制御部３４は、複写機１においてコピーが行われた際に課金制御を行う。信号変換部３５は、Ｉ／Ｆ部２０のＭＦＰＩ／Ｆ３６を介して入力される複写機１からのパラレル信号をシリアル信号に変換し、変換した信号を課金端末Ｉ／Ｆ３７を介してプリント課金端末３に出力する。
【００５１】
このように構成される課金機能ブロックでは、課金装置２に対して複写機１とプリント課金端末３の両方が接続されている場合は、図４（ｂ）に示すように、ＭＦＰＩ／Ｆ３６、信号変換部３５、課金端末Ｉ／Ｆ３７だけを機能させ、課金処理を図示しないプリンタ課金端末３で行い、課金装置２ではプリント課金端末３からの課金情報に基づいて表示部１２に課金状況だけを表示するようにしている。一方、例えば、課金装置２に対して複写機１だけが接続されている場合は、図４（ｃ）に示すように、ＭＦＰＩ／Ｆ３６、利用不可テーブル３１、料金テーブル３２、カードホールド制御部３３、コピー課金制御部３４を機能させ、課金装置２において課金処理を行うようにしている。このような課金処理の選択は、先に述べた管理者のみが操作可能な場所、例えば図２（ｂ）に示した鍵２ｂがかかった扉２ａの内部等に配置されている。このように管理者のみが操作できる場所に選択スイッチ１３ｃを配置すると、ユーザーが選択スイッチ１３ｃを操作することがないので、いたずら等を防止することができるで、ダウンタイムを短くすることができる。
【００５２】
また、このように課金装置２を構成した場合は、コピーとプリント課金との両立を実現することができる。また、コピーとプリント課金との両立させているときにプリント課金端末３が故障した場合、同時にコピー課金も行えないことになってしまうが、本実施例のように管理者によって課金装置２の課金処理をプリント課金端末３で行うか、あるいは課金装置２で行うか選択できるようにしておけば、選択スイッチ１３ｃを切り替えるだけで複写機１によるコピーは行うことが可能になるのでダウンタイムを短くすることができる。さらに、本実施例では、複写機１とプリント課金端末３との両方が接続されている場合、複写機１からの課金に関する情報を、信号変換部３５を介してプリント課金端末３に転送し、プリント課金端末３において課金処理を行うようにしている。このように複写機１とプリント課金端末３とが接続されている場合は、プリント課金端末３において複写機１の課金処理も行うようにすると、課金処理を課金装置２とプリント課金端末３とでそれぞれ別々に行う場合より課金処理を簡略化することができる。
【００５３】
また、本実施例の課金装置システムにおいて、複写機１と課金装置２との間でＭＦＰＩ／Ｆ３６を介して互いやり取りを行う信号の中には以下のものがある。まず、複写機１から課金装置２に送られる信号は、サイズ信号、モード信号、動作信号、給紙信号、排紙信号などがある。サイズ信号は、複写機１の転写紙のサイズを表す信号、モード信号は、フルカラーか白黒か、片面か両面か、紙種は何かなどの複写条件を表す信号である。動作信号は、複写機１が動作中であるか否かを表す信号、給紙信号は、画像形成のための転写紙開始時に出力される信号、排紙信号は、画像形成終了後に複写機１から転写紙が排出される時に出力される信号である。
【００５４】
一方、課金装置２から複写機１に送られる信号は、許可信号などがあり、許可信号は、課金装置２により残金や現在の状況を判断し、画像形成動作を許可するか否かを複写機１に伝える信号である。そして、上記のように構成される本実施例の課金装置２は、制御部１８において複写機１から入力される給紙信号と排紙信号をカウントし、給紙信号をカウントした給紙カウント数から排紙信号をカウントした排紙カウント数を減算し、その減算値ｎを予めメモリー部１９に記憶させた上限値Ｎと比較するようにした。そして、減算値ｎが予め設定した上限値Ｎ以上になった場合、つまり、減算値ｎ≧上限値Ｎの場合は、複写機１において何らかの異常（エラー）が発生したと判断して、複写機１に出力する許可信号をＯＦＦにして画像形成動作を禁止するようにした。また本実施例の課金装置２では、複写機１から入力される排紙信号の排紙カウント数が給紙信号の給紙カウント数より大きい場合も、複写機１において何らかの異常が発生したと判断して複写機１に出力する許可信号をＯＦＦにして画像形成動作を禁止するようにしている。
【００５５】
以下、課金装置２と複写機１との間で伝送される信号のタイミングチャートを参照しながら本実施例の課金装置２におけるエラー判別動作について説明する。なお、本実施例では、上限値Ｎ＝３に設定した場合を例に挙げて説明する。
【００５６】
図５は、本実施例の課金装置２の基本的な信号の流れを示したタイミングチャートである。この図５に示すように、動作信号がオンになり、複写機１から給紙信号と排紙信号が入力されると、制御部１８では入力される給紙信号と排紙信号をそれぞれカウントし、給紙カウンタのカウント値から排紙カウンタのカウント値を減算した減算値ｎが上限値Ｎを越えていないか否かの判別を行う。図５に示す信号の場合は、減算値ｎの最大値は「２」であり、上限値「３」より小さいのでエラーと判別することはない。
【００５７】
なお図５は、エラー時のタイミングチャートであるであり、
（１）ｎ＝（給紙カウント数−排紙カウント数）＝３に設定した場合、
（２）給紙信号が入力されないまま、排紙信号が入力された場合、もしくは、給紙信号が一部欠落した場合（排紙カウント数＞給紙カウント数）、
（３）動作信号がないまま、給紙または排紙信号が入力された場合、
（４）転写紙が３枚目でＪＡＭとなった場合
である。
【００５８】
次に、図６は本実施例の課金装置２のエラー発生時の信号の流れを示したタイミングチャートである。
すなわち、図６は複写機の動作スピードによる差異を示し、
（１）１枚毎コピーを行う場合、
（２）連続でコピーを行う場合、
（３）転写紙の給紙口から排紙口までの搬送経路が長い場合、
である。
【００５９】
先ず、図６（ａ）に示すように複写機１からの排紙信号が抜けている場合は、３枚目の給紙信号が入力された時点で減算値ｎの値が上限値Ｎの値である「３」になるので課金装置２はエラーと判断して許可信号をＯＦＦにする。また、図６（ｂ）に示すように、複写機１からの給紙信号が抜けている状態で排紙信号が入力された場合、１枚目の排紙信号が入力された時点で減算値ｎの値が「−１」、つまり排紙カウンタの値が、給紙カウンタの値より大きくなるので課金装置２はエラーと判断して許可信号をＯＦＦにする。なお、図６（ｃ）に示すように、動作信号が抜けている状態で給紙信号または排紙信号が入力された場合も、本実施例の課金装置２はエラーと判断して許可信号をＯＦＦにする。また図６（ｄ）に示すように、転写紙ジャムが発生して動作信号がＯＦＦしたにも関わらず、最終的な排紙信号が得られなかった場合は、３枚目の転写紙はジャムと判定し、３枚目の課金処理は行わないようしている。このように本実施例の課金装置２においては、複写機１のコピー速度等を考慮して設定装置１４により上限値Ｎを設定し、この上限値Ｎに基づいて複写機１のエラー判定を行うようにしているので、複写機１においてエラーが発生した場合においても、複写機１内に残存する給紙枚数を最小限にすることができる。
【００６０】
以下、本実施例の課金装置の動作について説明する。
図７は、複写機１、課金装置２、プリント課金サーバーである課金管理装置１０との連携を示す図であり、図８は、本実施例の課金装置２のコピー時の動作を示したフローチャートである。この実施例の場合、制御部１８は、カード挿入口１１にカードが挿入されたか否かの判別を行い（Ｓ１）、カードが挿入されると（Ｓ１でＹｅｓ）、カードＩＤやデータフォーマットなどからカードが正規のカードであるか否かの判別を行う（Ｓ２）。ここで後述する残度数更新処理を行い（Ｓ２’）、使用カードが正規のカードである場合（Ｓ２でＹｅｓ）、カードの残度数の確認を行い（Ｓ３）、残度数が単価以上であれば（Ｓ３でＹｅｓ）、ステップＳ４に進む。ステップＳ４では、ＩＤ番号と残金、残度数を読み取り、表示部１２に残度数を表示しカードをロックする。また複写機１から入力されるモード信号、サイズ信号等から自身に登録されている単価を参照し、残度数と比較を行う。残度数が単価以上ある場合は、複写機１への許可信号をＯＮにする。一方、残度数が不足であった場合は、許可信号をＯＮしないようにする。
【００６１】
さらに、複写機１から給紙信号、排紙信号が入力された場合は、単価を判断するための仮想減算を行う。例えば、給紙信号が入力された時のモード信号、サイズ信号から単価を判断し、カード残度数から仮想的に減算を行う（給紙残度数←給紙残度数−単価）。仮想減算の結果、残度数が不足した場合は、許可信号をＯＦＦし、残度数が不足していない場合は許可信号のＯＮを継続する。また、例えば排紙信号が入力された場合、残度数から単価を減算処理する（排紙残度数←排紙残度数−単価）。
【００６２】
次に、ステップＳ５においては、動作信号がＯＮであるか否かの判別を行い、動作信号がＯＮであれば（Ｓ５でＹ）、後述するコピーモードに移行する。一方、動作モードがＯＮでない場合（Ｓ５でＮｏ）、待機モードに移行し（Ｓ６）、返却ボタン１３ｂがＯＮされた場合（Ｓ７でＹｅｓ）、または返却フラグ＝１の場合（Ｓ８でＹｅｓ）は、後述するカード返却処理へ移行する。一方、返却ボタンがＯＮでなく、返却フラグ＝１でない場合は、複写機１からの給紙、排紙信号がＯＮであるか否かの判別を行い（Ｓ９）、ＯＮであると判別した場合（Ｓ９でＹｅｓ）、許可信号をＯＦＦにしてエラー処理（Ｓ１０）を行う。また一方、ステップＳ９で複写機１からの給紙、排紙信号がＯＮでないと判別した場合（Ｓ９でＮｏ）、ステップＳ５に戻って処理を継続する。
【００６３】
なお、ステップＳ２において、正規のカードでないと判別した場合、あるいはステップＳ３において、残金がない、または残金が不足していると判別した場合は、エラー表示を行い（Ｓ１１）、カード挿入口１１からカードが抜きとられたと判別したら（Ｓ１２でＹｅｓ）、エラー表示を解除する（Ｓ１３）。
【００６４】
図９はカード返却処理を示したフローチャートである。この場合、制御部１９はステップＳ２１において、許可信号をＯＦＦ、カード残度数を排紙残度数、返却フラグを「０」、給紙、排紙カウンタを「０」、カードロックを解除、表示部１２の表示をオフにして処理を終了する。
【００６５】
図１０は、コピーモード処理を示したフローチャートである。この場合、制御部１９は、ステップＳ３１において、給紙信号がＯＮであるか否かの判別を行い（Ｓ３１）、給紙信号がＯＮであれば（Ｓ３１でＹｅｓ）、給紙信号をカウントする給紙カウンタ（給紙カウント手段）を「＋１」、給紙残度数を給紙残度数−単価とする（Ｓ３２）。次に、給紙カウンタのカウント値から排紙信号をカウントする排紙カウンタ（排紙カウント手段）のカウント値を減算した減算値ｎが、予め設定した上限値Ｎ以上であるか否かの判別を行い（Ｓ３３）、減算値ｎが上限値Ｎ以上のときは（Ｓ３３でＹｅｓ）、ステップＳ４２に進み、許可信号ＯＦＦにして画像形成動作を禁止させるエラー処理を行う。つまり、制御部１９は画像形成動作を禁止させる禁止手段として機能する。
【００６６】
なお図１１は残度数更新例を示す図である。「上書き」の場合は、その時点までの残度数に関わらず指定された度数をカードに書き込む。また、「加算」の場合は、その時点の残度数に指定された度数を加算したものをカードに書き込む。
【００６７】
一方、減算値ｎが上限値Ｎ以上でなければ（図１０のＳ３３でＮｏ）、給紙残度数が単価以上であるか否かの判別を行い（Ｓ３４）、給紙残度数が単価以上であれば、ステップＳ３６に進み、そうでなければ、ステップＳ３５において許可信号をＯＦＦにしてからステップＳ３６に進む。ステップＳ３６では、排紙信号がＯＮであるか否かの判別を行い、排紙信号がＯＮであれば（Ｓ３６でＹｅｓ）、排紙信号をカウントする排紙カウンタを「＋１」、排紙残度数を排紙残度数−単価とする（Ｓ３７）。次に、給紙カウンタより排紙カウンタの値が大きいか否かの判別を行い（Ｓ３８）、排紙カウンタのほうが大きければ（Ｓ３８でＹｅｓ）、ステップＳ４２に進み、許可信号ＯＦＦにしてエラー処理を行う。一方、ステップＳ３８において、否定結果が得られたときは、返却ボタン１３ｂがＯＮであるか否かの判別を行い（Ｓ３９）、返却ボタン１３ｂがＯＮであれば、許可信号をＯＦＦ、返却フラグに「１」をセットし（Ｓ４０）、続くステップＳ４０において動作信号がＯＦＦでるか否かの判別を行い（Ｓ４１）、動作信号がＯＦＦであれば（Ｓ４１でＹｅｓ）、図１０に示した待機モードに移行する。またステップＳ４１において、動作信号がＯＦＦでなければ、ステップＳ３１に戻って処理を継続する。このような処理を行うことで、本実施例の課金装置２を実現することができる。
【００６８】
図１２は課金装置、課金管理装置の構成図である。本実施例では、課金装置２は画像形成装置（複写機１）とは独立しており、課金管理装置１０と課金装置２はＬＡＮ２０で接続してある。なお、複写機１のＬＡＮと共用する構成でも構わないことは勿論である。
【００６９】
課金管理装置１０は課金装置に対して各種設定を行なったり、取引実績やエラーのログや残度数更新処理結果のログの取得ができる
次に、本実施例の課金装置２において使用されるＩＣカードについて説明する。
【００７０】
本実施例の課金装置２では、後述するカード発行装置において発行されたＩＣカードだけが使用可能される。このＩＣカードには、カード発行装置において発行する際に管理者が発行したことを示す識別情報であるカードＩＤ（以下、「Ａｄｍｉｎ  ＩＤ」と称する）が登録される。課金装置２では、このＩＣカードのＡｄｍｉｎ  ＩＤを利用してＩＣカードの照合を行うようにしている。このようにカード発行装置を利用してＩＣカードにＡｄｍｉｎ  ＩＤを登録すると、Ａｄｍｉｎ  ＩＤがユーザーやユーザー管理者、機器を設置するカスタマーエンジニア等の目に触れることなく運用を行うことができるので、Ａｄｍｉｎ  ＩＤが不正に取得されるといったことを防止することができる。
【００７１】
また、この識別情報であるＡｄｍｉｎ  ＩＤは、課金装置２にも登録しなければ、課金装置２にて照合を行うことができない。そこで、本実施例では、課金装置２への登録には、カード発行装置を購入したときに付属されているカード発行ツール用のＡｄｍｉｎカードを用いて登録するようにした。これにより、Ａｄｍｉｎ  ＩＤがユーザーやユーザー管理者、機器を設置するカスタマーエンジニア等の目に触れることがないので、カード発行と同等のセキュリティーが実現でき、不正利用を抑止することができる。Ａｄｍｉｎ  ＩＤを登録する場合は、カスタマーエンジニアが課金装置２の裏扉２ａ（図２（ｂ）参照）の内部２ｃにあるＤＩＰスイッチ（図示しない）を切り替えて電源を投入することにより、Ａｄｍｉｎ  ＩＤ登録モードにする。この状態の時に、カード発行装置に同梱されている管理者用カードを課金装置に挿入する。課金装置２は管理者用カードであることを認識したら、このカード内のＡｄｍｉｎ  ＩＤを読込みこのＩＤをメモリー部に登録する。登録後、カスタマーエンジニアはＤＩＰスイッチを元に戻し、電源を再投入する。これにより、Ａｄｍｉｎ  ＩＤを課金装置２に登録することが可能になる。
【００７２】
図１３は本実施例におけるカードデータ更新例を示す図である。カード更新処理が行えた場合は、カードに対してその履歴を残し、また課金装置側にも更新結果のログを残す。
【００７３】
図１４は課金装置残度数更新処理フローチャートである。プリント課金サーバーである課金管理装置１０において残度更新処理（図８のＳ２’）が開始されると、更新データ登録の有無を判断し（Ｓ２）、更新データ登録があれば（Ｓ２でＹｅｓ）、更新データ登録が更新日以降のものかどうかを判断し（Ｓ３）、更新日以降のものであれば（Ｓ３でＹｅｓ）、該当ＩＤが存在するか否かを判断し（Ｓ４）、該当ＩＤが存すれば（Ｓ４でＹｅｓ）、カードが未更新ではないかをチェックし（Ｓ５）、未更新であれば（Ｓ５でＹｅｓ）、管理番号、残度数、更新日、更新機器ＩＤをカードに書き込み、ログを出力（Ｓ６）して残度更新処理を終了する。なお、上記ステップＳ１〜Ｓ４で判断結果、チェック結果がＮｏであればすべて残度更新処理の終了処理を行う。
【００７４】
図１５は課金管理装置での更新処理結果確認画面例を示す図である。課金管理装置１０は各管理装置と通信をし、更新結果のログを取得することができ、そして各機器の結果から、各カードの更新結果を確認することができる。本実施例では、例えば「Ａ０００１」のＩＤのカードは機器ＩＤ「Ａ−１Ｆ」の課金装置により、２００８年４月１２日１４時３３分０８秒に残度数が更新されたことがわかる。また「Ａ０００２」のＩＤのカードは、２００８年４月１日以降まだ課金装置２にカードが一度も挿入されていないので、残度数の更新が行なわれていないことがわかる。
【００７５】
すなわち本発明の画像形成システム用課金装置では課金装置にて残度数の更新処理を行え、その設定を遠隔から課金管理装置から行なえ、課金装置は、ユーザーが使用目的の為に管理装置にカードを挿入した際に、残度数の過不足のチェックを行なう前に残度数の更新処理を行なうので、残度数の更新の際カードの回収などの負担がなく、また残度数更新用の専用の装置を用意しなくてもカード残度数の更新を行うことができる。また、カード残度数の更新をＩＤ毎に指定できることができるので、例えば残度数を使い切ってしまった部門用のカードにのみ、緊急避難的に残度数の追加をすることができ、カード残度数の更新を加算なのか上書きなのかも選択できるので、きめ細かい予算管理が行なえ、カード残度数の更新の時期を指定できるので、予算の締め日の前から課金装置への残度数更新データの登録などの準備作業を行うことができ、またネットワークにもほとんど負荷をかけることがない。そして、カード残度数の更新処理の終わったカードと終わっていないカードを判別し、残度数更新処理の終わっているカードに対しては、再更新を行なわないので、残度数の２重更新などを防ぐことができ、カード残度数の更新結果を履歴として残すので、カードの残度数の更新情報を随時確認することができる。
【図面の簡単な説明】
【００７６】
【図１】本発明の実施例である画像形成システム用課金装置の概略構成を示した図
【図２】本実施例の画像形成システム用課金装置における課金装置の外観を示した図
【図３】本実施例の課金装置の内部構成を示したブロック図
【図４】制御部に設けられている課金機能ブロックを示した図
【図５】本実施例の課金装置の基本的な信号の流れを示したタイミングチャート図
【図６】本実施例の課金装置のエラー発生時の信号の流れを示したタイミングチャート図
【図７】本実施例の複写機、課金装置、プリント課金サーバーである課金管理装置との連携を示す図
【図８】本実施例の課金装置のコピー時の動作を示したフローチャート図
【図９】本実施例のカード返却処理を示したフローチャート図
【図１０】本実施例のコピーモード処理を示したフローチャート図
【図１１】本実施例の残度数更新例を示す図
【図１２】本実施例の課金装置、課金管理装置の構成図
【図１３】本実施例におけるカードデータ更新例を示す図
【図１４】課金装置残度数更新処理フローチャート図
【図１５】課金管理装置での更新処理結果確認画面例を示す図
【符号の説明】
【００７７】
１：画像形成装置（複写機）
２：課金装置
３：プリント課金端末
４：接続ケーブル
１０：課金管理装置
１１：カード挿入口
１２：表示部
１３：入力部
１３ａ：切り換えボタン
１３ｂ：カード返却ボタン
１３ｃ：選択スイッチ
１４：設定装置
１５：接続口
１６：電源ケーブル
１７：電源部
１７ａ：電源スイッチ
２０：ＬＡＮ
【図１】
2009260808.tif 000003
【図２】
2009260808.tif 000004
【図３】
2009260808.tif 000005
【図４】
2009260808.tif 000006
【図５】
2009260808.tif 000007
【図６】
2009260808.tif 000008
【図７】
2009260808.tif 000009
【図８】
2009260808.tif 000010
【図９】
2009260808.tif 000011
【図１０】
2009260808.tif 000012
【図１１】
2009260808.tif 000013
【図１２】
2009260808.tif 000014
【図１３】
2009260808.tif 000015
【図１４】
2009260808.tif 000016
【図１５】
2009260808.tif 000017